(57)【要約】【課題】メダルが通るメダル通路106が汚れてしまうことがあっても、メダルの詰まりを減少させることができるメダルセレクター100を提供することを目的とする【解決手段】メダル通路106と、メダル通路106からメダルを排除するためのメダルキャンセル部120とを備えたメダルセレクター100であって、メダルキャンセル部120は、メダル通路106の底面の一部を構成するレール部122と、規格に適合したメダルの上側の縁をガイドするための上側ガイド124と、メダル通路106の底面を構成する位置である底面構成位置と、メダル通路106の底面を構成しなくなる位置である退避位置との間でレール部122を変位させるためのレール変位手段130とを備え、退避位置にあるレール部122の上方に相当する位置には、レール部122におけるメダルの周面が接する面を清掃する清掃部80を設けた。【選択図】図４
2007252607.tif 000002
【特許請求の範囲】
【請求項１】
メダル投入口から投入されたメダルが流下するメダル通路と、
メダル通路の途中に設けられており、かつ、メダル通路からメダルを排除するためのメダルキャンセル部とを備えたメダルセレクターであって、
メダルキャンセル部は、
メダル通路の底面の一部を構成するためのものであって、メダルが周面を接してその上を転がるメダル転動面を有するレール部と、
レール部のメダル転動面を転がる、規格に適合したメダルの上側の縁をガイドするための上側ガイドと、
メダル通路の底面を構成する位置である底面構成位置とメダル通路の底面を構成しなくなる位置である退避位置との間でレール部を変位させるためのレール変位手段と、を備え、
退避位置の上方に相当する位置には、レール部のメダル転動面を清掃する清掃部が設けられていることを特徴とするメダルセレクター。
【発明の詳細な説明】
【技術分野】
【０００１】
本発明は、遊技に用いるメダルを選別し、所定のメダル以外のメダルを排除するメダルセレクターに関するものである。
【背景技術】
【０００２】
従来より、スロットマシン等の遊技メダルを使用する遊技機では、所定の寸法より小さな直径を有するメダルを確実に選別して、メダル通路から排除できるようにしたメダルセレクターが用いられている。
また、特許文献１記載のメダルセレクターでは、メダル通路を挟んでメダルの厚み方向に傾斜した下側側板及び上側側板と、前記下側側板に形成され、所定の外径よりも小さな外径を有する小径メダルがメダル通路外に落下する落下孔とを備え、上記上側側板には、落下孔に向かってメダル通路内に突出した押し出し突起を設けることにより、コストや配置スペースの増加を招くことなく、所定寸法未満の外径を有する小径メダルを確実に選別し、メダル通路から排除することができるとさている。
【特許文献１】特開２００２−３３６４１６号公報
【発明の開示】
【発明が解決しようとする課題】
【０００３】
しかし、特許文献１記載のメダルセレクターでは、コイン投入の度重なる反復動作により、遊技メダルが通る通路が汚れてしまうことがあり、通路内の遊技メダルの流れが鈍くなったり、遊技メダルの詰まりが発生してしまう問題があった。
そこで、本発明は、上記状況に鑑み以下の点を目的とする。
（請求項１）
すなわち、請求項１記載の発明は、メダル通路からメダルを排除するためのメダルキャンセル部を備えたメダルセレクターであって、メダルキャンセル部は、メダル通路の底面の一部を構成するためのものであって、メダルがその上を転がるメダル転動面を有するレール部と、規格に適合したメダルの上側の縁をガイドするための上側ガイドと、メダル通路の底面を構成する位置である底面構成位置と、メダル通路の底面を構成しなくなる位置である退避位置との間でレール部を変位させるためのレール変位手段とを備え、退避位置の上方に相当する位置には、レール部のメダル転動面を清掃する清掃部を設けることにより、コイン投入の度重なる反復動作により、メダルが通る通路が汚れてしまうことがあっても、通路内のメダルの流れが鈍くなったり、メダルの詰まりの発生を減少させることができるメダルセレクターを提供することを目的とする。
【課題を解決するための手段】
【０００４】
請求項に記載された発明は、前述の目的を達成するためになされたものである。なお、符号は、発明の実施の形態において用いた符号を示し、本発明の技術的範囲を限定するものではない。
（請求項１）
請求項１記載の発明は、次の点を特徴とする。
すなわち、請求項１記載の発明は、メダル投入口70から投入されたメダルが流下するメダル通路106と、メダル通路106の途中に設けられており、かつ、メダル通路106からメダルを排除するためのメダルキャンセル部120とを備えたメダルセレクター100であって、メダルキャンセル部120は、メダル通路106の底面の一部を構成するためのものであって、メダルが周面を接してその上を転がるメダル転動面を有するレール部122と、レール部122のメダル転動面を転がる、規格に適合したメダルの上側の縁をガイドするための上側ガイド124と、メダル通路106の底面を構成する位置である底面構成位置とメダル通路106の底面を構成しなくなる位置である退避位置との間でレール部122を変位させるためのレール変位手段130と、を備え、退避位置の上方に相当する位置には、レール部122のメダル転動面を清掃する清掃部80が設けられていることを特徴とする。
【０００５】
ここで、「メダル通路106」は、スロットマシンSのメダル投入口70から投入されたメダルが流下するところである。また、例えば、メダル通路106の一端であるメダル受け口104を、遊技機であるスロットマシンSのメダル投入口70に連通するように形成する。これにより、メダル投入口70に投入されたメダルを、メダル通路106に取り込むことができる。また、例えば、メダル通路106を、途中で屈曲する、ほぼＬ字形に形成し、上流側から下流側へ向かうに従って、高さが次第に低くなるように形成する。これにより、メダル通路106は、メダル投入口70から投入されたメダルを流下させることができる。
また、「メダルキャンセル部120」は、メダル通路106の途中に設けられている。また、メダルキャンセル部120は、メダル通路106からメダルを排除するためのものである。
【０００６】
また、メダルキャンセル部120は、「レール部122」と、「上側ガイド124」と、「レール変位手段130」とを備えている。
また、レール部122は、メダル通路106の底面の一部を構成するためのものである。また、レール部122は、メダルが周面を接してその上を転がるメダル転動面を有している。また、上側ガイド124は、レール部122のメダル転動面を転がる、規格に適合したメダルの上側をガイドするためのものである。すなわち、上側ガイド124は、規格に適合していないメダルについては、その上側をガイドしない。すなわち、規格に適合していないメダルについては、その上側をガイドせずに、メダル通路106から排除するように、上側ガイド124を形成する。また、具体的には、上側ガイド124を、メダル通路106の上端付近に形成する。また、上側ガイド124は、例えば、レール部122のメダル転動面を転がる、規格に合格したメダルの周面よりも、わずか上方に位置してメダルが接触することなく通過できるように形成してあるガイド上部124aと、レール部122のメダル転動面を転がる、規格に適合したメダルの側面に接して、メダルが倒れないように支えるためのガイド側部124bとを有するようにする。これにより、レール部122のメダル転動面を転がる、規格に適合したメダルの上側の縁をガイドすることができる。
【０００７】
また、レール変位手段130は、メダル通路106に底面を形成する位置である底面構成位置と、メダル通路106を形成しなくなる位置である退避位置との間で、レール部122を変位させるものである。
また、レール変位手段130として、具体的には、例えば、ソレノイド108を用いることができる。そして、レール変位手段130としてのソレノイド108の可動軸の先端部分にレール部122を取り付ける。また、レール部122が、メダル通路106の底面を構成する位置である底面構成位置と、メダル通路106の底面を構成しなくなる位置である退避位置との間で移動可能になるように、レール変位手段130を形成する。
【０００８】
また、レール部122がメダル通路106の底面を構成しなくなると、メダル通路106の底面が無くなった状態になり、メダルキャンセル部120は、メダル通路106からメダルを排除することができる。
また、退避位置の上方に相当する位置には、清掃部80が設けられている。また、清掃部80は、レール部122のメダル転動面を清掃するものである。
具体的には、例えば、メダルセレクター100に、ベース101とカバー102とを備える。また、ベース101とカバー102との間にメダル通路106が形成されるようにする。また、ベース101に、レール部122を出し入れ可能な形状及び大きさのレール部用孔125を設ける。また、レール変位手段130を、レール部122がレール部用孔125内に入るように変位させることができるように形成する。また、レール部122がレール部用孔125の中に入ることにより、レール部122がメダル通路106の底面を構成しなくなるように形成する。これにより、レール部用孔125内の位置を退避位置とすることができる。すなわち、レール変位手段130は、レール部122をレール部用孔125に入るように変位させることにより、レール部122を退避位置に変位させることができるようになる。また、この場合、ベース101におけるレール部用孔125の上面が、退避位置の上方に相当する位置に該当する。また、レール部用孔125の上面に清掃部80を設ける。また、清掃部80には、例えば、スポンジや、ゴムや、上方から下方へ向けて延びるように細い樹脂で形成された毛を多数束ねてハケ状に形成したもの等を用いることができる。また、レール変位手段130が、レール部122を底面構成位置と退避位置との間で変位させると、レール部122のメダル転動面が、清掃部80によって擦られる、磨かれる、あるいは掃かれるように形成する。また、清掃部80が、レール部122のメダル転動面を擦すったり、磨いたり、あるいは掃いたりすることにより、レール部122のメダル転動面に存在する異物や油等の汚れを除去するように形成する。
【発明の効果】
【０００９】
（請求項１）
請求項１記載の発明によれば、次のような効果を奏する。
すなわち、請求項１記載の発明は、メダルキャンセル部に、メダル通路の底面の一部を構成するためのものであって、メダルが周面を接してその上を転がるメダル転動面を有するレール部と、メダル転動面を転がる、規格に適合したメダルの上側の縁をガイドするための上側ガイドと、底面構成位置と退避位置との間でレール部を変位させるためのレール変位手段とを備え、退避位置の上方に相当する位置には、レール部のメダル転動面を清掃する清掃部を設けた。
【００１０】
これにより、コイン投入の度重なる反復動作により、メダルが通るメダル通路が汚れてしまっても、清掃部が、レール部のメダル転動面を清掃することにより、メダル通路内のメダルの流れが鈍くなったり、メダルの詰まりの発生することを減少させることができる。
【発明を実施するための最良の形態】
【００１１】
本発明を表す最良の実施の形態を、スロットマシンを例に図面に基づき説明する。
（図面の説明）
図１ないし図４は、本発明の実施の形態を示すものである。
図１は、本実施の形態におけるスロットマシンSの全体斜視図である。図２は、本実施の形態におけるメダルセレクター100の外観斜視図である。図３は、本実施の形態におけるメダルセレクター100内のメダルの流れを示す図である。図４は、本実施の形態におけるメダルセレクター100からのメダルの排除を示す断面図である。
（スロットマシンS）
スロットマシンSは、図１に示すように、箱状の筐体1を有し、この筐体1の正面には、前扉4が取り付けられている。また、筐体1の内部には、回転リールを備えたリールユニット2と、特に図示しないが、スロットマシンSの全体の作動を制御するための制御装置と、メダルを貯留するとともに払い出すためのホッパーユニット5が内蔵されている。
【００１２】
前扉4は、遊技者側に向かって臨む表示窓が形成されている板状の扉であり、表示窓中央上側には三個の回転リール30の図柄を見ることができる図柄表示窓47が形成されている。そして、図柄表示窓47の下方であり前扉4の略中央部は、スロットマシンSを作動させるための操作手段が設けられた操作部40となっている。また、前扉4の下部には、払い出しメダルを貯留するメダル受け皿46が形成されている。
また、操作部40の正面には、回転リール30の回転を開始させるためのスタートスイッチ42、各回転リール30に対応して設けられ回転リール30の回転を停止させるためのストップスイッチ43が、また操作部40の上面左側には、クレジットとして貯留されているメダルをメダル投入に代えるためのベットスイッチ41、貯留メダルを払い戻すための精算スイッチ44がそれぞれ設けられている。そして、操作部40の右側には、メダルを投入するためのメダル投入口70が形成されており、このメダル投入口70の下方には、メダルキャンセルボタン50が設けられている。
【００１３】
さらに、メダル投入口70の下方であって、前扉4の裏面側（筐体1内側）には、メダル投入口70から投入されたメダルを検出、選別し、適正なメダルをホッパーユニット5に移送するためのメダルセレクター100が設けられている。なお、メダルキャンセルボタン50は、メダルセレクター100内部のメダルをキャンセルしてメダル受け皿46に払い戻すためのものである。
そして、図柄表示窓47の下方には、貯留メダルの枚数を表示するためのクレジット表示部48が設けられている。ここで、クレジットとは、メダル投入口70から投入されメダルセレクター100を通過したメダル、又は入賞により払い出されるメダルを遊技機内部に貯留することであり、スロットマシンSは、最大５０枚まで、クレジット可能に形成されている。具体的には、メダル投入口70からメダルを投入すると、あるいはメダル払い出しを伴う当選役が入賞すると、クレジット表示部48の表示が加算され、ベットスイッチ41を操作すると当該表示が減算されるようになっている。なお、クレジット表示部48の表示が５０になると、それ以降の投入メダルはメダルセレクター100でキャンセルされてメダル受け皿46に払い戻され、また入賞による払い出しメダルはホッパーユニット5からメダル受け皿46に払い出される。
【００１４】
また、図示はしないが、スロットマシンSには、遊技の演出やメダルの払い出し等の制御を行う制御装置が備えられている。
そして、スロットマシンSは、メダルの投入、又はメダルがクレジットされている場合にはベットスイッチ41の操作を条件に、スタートスイッチ42の操作が有効となり、スタートスイッチ42の操作により三個の回転リールが一斉に回転開始する。そして、ストップスイッチ43を操作して各回転リールを停止させ、全ての回転リールが停止したときに図柄表示窓47から視認できる図柄が、所定の入賞態様となった場合に入賞となり、メダルが払い出されたり、有利な遊技が開始されたりするように形成されている。
【００１５】
（メダルセレクター100）
メダルセレクター100は、メダルを検出、及び選別し、適正なメダルをホッパーユニット5へ移送するものである。
メダルセレクター100は、図２に示すように、スロットマシンSにおけるメダル投入口70の下方に設けられた箱状の部材である。また、メダルセレクター100は、図２に示すように、ベース101と、ベース101の表面（筐体1の内部方向へ向く側の面）から突出したレール部122と、ベース101に取り付けられたカバー102とを備えている。また、カバー102はベース101の表面を覆うように取り付けられている。また、カバー102は、ベース101に設けられたバネ72により、ベース101の表面に圧接されている。
【００１６】
また、メダルセレクター100には、ベース101とカバー102との間にメダル通路106が形成されている。
また、メダルセレクター100は、前扉4の裏面側から見て手前側に倒れるように傾斜して取り付けられている。
また、メダル通路106の途中には、メダルキャンセル部120が設けられている。また、メダルキャンセル部120は、メダル通路106から、メダルを排除するためのものである。
また、メダル通路106の途中には、メダルがメダル通路106を通過することを検知するメダルセンサー105が設けられている。また、メダルセンサー105は、メダルキャンセル部120から排除されたメダルを検出しない位置に設けられている。
【００１７】
（ベース101）
ベース101には、図３に示すように、表面から凹んだメダル通路部110が設けられている。また、メダル通路部110は、ほぼＬ形に形成されている。また、ベース101のメダル通路部110側の表面には、カバー102が覆うように取けられており、このメダル通路部110とカバー102と間にメダル通路106が形成されている。
また、メダル通路部110は、メダル通路106の一部を構成するものであり、メダル通路部110の上面がメダル通路106の上面を構成し、メダル通路部110の下面がメダル通路106の下面を構成している。また、メダル通路部110の側面が、メダル通路106の一方の側面を構成している。そして、後述するカバー102における、メダル通路部110の側面に対向する面が、メダル通路106の他方の側面を構成している。
【００１８】
また、図３及び図４に示すように、ベース101におけるメダル通路部110の下面付近には、レール部122を変位させるためのレール部用孔125が形成されている。
また、レール部用孔125は、メダル通路部110の下面に沿って斜めに延びたほぼ長方形状の長孔であり、ベース101を貫通して形成されている。また、レール部用孔125は、その中に後述するレール部122が、出し入れ可能な形状及び大きさに形成されている。
また、レール部用孔125の上面には、後述する清掃部80が設けられている。
（カバー102）
カバー102は、ベース101の表面に形成されているメダル通路部110を覆うように取り付けられている。また、カバー102は、板状に形成されている。また、カバー102は、バネ72を用いることにより、ベース101の表面に圧接されている。
【００１９】
また、カバー102には、図２に示すように、メダル通路部110の対向する位置に、所定の位置に、所定の規格よりも直径が小さいメダルを、メダル通路106から排除するためのメダル排除口103が設けられている。また、メダル排除口103は、カバー102を貫通して形成されている。これにより、メダル排除口103は、メダル通路106の内部と外部とを連通している。また、メダル排除口103は、所定の規格のメダルよりも小さなメダルを排除できるような大きさに形成されている。
（メダル通路106）
メダル通路106は、スロットマシンSのメダル投入口70に投入されたメダルを一定方向へ流下させるためのものである。また、メダル通路106は、ベース101とカバー102との間に形成されている。
【００２０】
図２に示すように、メダル通路106の一端には、メダル投入口70に連通しているメダル受け口104が形成されている。また、メダル通路106の他端には、ホッパーユニット5の上方に位置しているメダル誘導口107が形成されている。また、メダル通路106のメダル受け口104側が、メダルの流れの上流側であり、また、メダル通路106のメダル誘導口107側が下流側である。また、メダル通路106は、メダル受け口104から側からホッパーユニット5へ向かうに従って、高さが次第に低くなるように形成されている。これにより、メダル通路106は、スロットマシンSのメダル投入口70に投入されたメダルが、上流側であるメダル受け口104から、下流側であるメダル誘導口107へ向けて、一定方向へ流下するように形成されている。また、メダル受け口104からメダル誘導口107に至ったメダルは、ホッパーユニット5に移送される。また、メダル通路106は、図２に示すように、途中で屈曲することにより、ほぼＬ字形に形成されている。
【００２１】
また、メダル通路106の途中には、メダル通路106からメダルを排除するメダルキャンセル部120が設けられている。
また、メダル通路106の途中には、メダルがメダル通路106を通過したことを検出するメダルセンサー105が設けられている。また、メダルセンサー105は、メダルキャンセル部120から排出されたメダルについては検出しない位置であるメダル誘導口107付近に設けられている。
（メダルキャンセル部120）
メダルキャンセル部120は、図２に示すように、メダル通路106の途中に設けられている。また、メダルキャンセル部120は、メダル通路106からメダルを排除するものである。
【００２２】
メダルキャンセル部120は、メダル通路106の底面の一部を構成し、メダルが周面を接して、その上を転がるメダル転動面を有するレール部122と、レール部122のメダル転動面を転がる、規格に適合した適合したメダルの上側の縁をガイドするための上側ガイド124と、底面構成位置と退避位置との間でレール部122を変位させるレール変位手段130とを備えている。
ここで、底面構成位置とは、レール部122がメダル通路106の底面を構成する位置である。具体的には、レール部122が、ベース101の表面からカバー102付近まで突出した位置である。また、退避位置とは、レール部122がメダル通路106の底面を構成しなくなる位置である。具体的には、レール部122がベース101に設けられたレール部用孔125内に納まった位置である。
【００２３】
また、退避位置の上方に相当する位置には、清掃部80が設けられている。また、本実施の形態では、レール部用孔125の上面が、退避位置の上方に相当する位置に該当する。
退避位置の上方に相当する位置とは、レール部用孔125の上面の位置である。すなわち、レール部用孔125の上面には、清掃部80が設けられている。また、清掃部80は、レール部122のメダル転動面を清掃するものである。ここで、メダル転動面とは、レール部122における、メダルが周面を接して転がる面をいい、具体的には、レール部122の上面である。
また、本実施の形態にかかるメダルセレクター100では、直径が２５ミリメートルの規格のメダルを使用できるように形成されている。また、レール部122は、メダル転動面から上側ガイド124のまでの距離が２５ミリメートルよりもわずかに大きくなるように形成されている。
【００２４】
また、メダルキャンセル部120には、メダル誘導口107付近にブロッカ90が設けられている。ブロッカ90は、メダル通路106におけるメダル通路部110側の側面から、メダル通路106の通路空間へ向けて進退自在に突出する突出棒を有している。また、ブロッカ90は、メダル通路106の通路空間へ向けて突出棒を突出させることにより、メダルキャンセル部120におけるメダルの通過を阻止するものである。また、ブロッカ90は、通常遊技中には、突出棒をメダル通路106の側面から突出させず、メダルは、メダル通路106を通過し、メダル誘導口107へ至るようになっている。また、ブロッカ90は、遊技中における、リールの回転開始から全リールの回転が停止し賞与メダルの払い出しが終了するまでの間、突出棒を突出させ、メダルの通過を阻止する。また、ブロッカ90は、メダルの投入によりクレジット表示部48の表示が５０（クレジットの超過）になると、突出棒を突出させ、それ以降のメダルの通過を阻止する。また、ブロッカ90は、エラー検知時に、突出棒を突出させ、それ以降のメダルの通過を阻止する。
【００２５】
また、ブロッカ90を有することにより、メダルキャンセル部120は、メダルの転がりに勢いがついている場合でも、確実にメダルを排除することが可能となっている。
また、メダルキャンセル部120から排除されたメダルは、メダル排出口45からメダル受け皿46に排出されるように形成されている。
（上側ガイド124）
上側ガイド124は、図４に示すように、ベース101におけるメダル通路106の一部を形成するメダル通路部110の上面と、カバー102におけるメダル通路部110の上面付近に対応する面とにより構成されている。
【００２６】
また、上側ガイド124は、図４に示すように、ガイド上部124aとガイド側部124bとを有している。また、ガイド上部124aは、レール部122のメダル転動面を転がる、規格に適合したメダルの周面よりもわずか上方に位置してメダルが接触することなく通過できるようにするものである。ガイド側部124bは、レール部122のメダル転動面を転がる、規格に適合したメダルの側面に接してメダルが倒れないように支えるためのものである。
また、本実施の形態では、メダル通路部110の上面が、ガイド上部124aを構成している。また、カバー102におけるメダル通路部110の上面付近に対応する面が、ガイド側部124bを構成している。
【００２７】
また、具体的には、図４に示すように、メダル通路106を通るメダルが、規格に適合したメダルであって、所定の外径を有している場合には、ガイド上部124aにメダルが当たることなく、メダルの上縁がカバー側部124bに寄りかかるようにガイドされ、メダル通路106を支障なく通過し、メダル受け口104からメダル誘導口107へ至る。
また、メダル通路106を通るメダルの外径が、所定の規格よりも小さく形成されている場合には、図４（Ａ）に示すように、ガイド側部124bが、メダルの上縁を支えなくなり、カバー102に設けられたメダル排除口103からメダルが落下する。
また、メダルが所定の規格の外径よりも大きい場合には、ガイド上部124aにメダルが当たることにより、メダルがメダルキャンセル部120入らない。
【００２８】
（レール部122）
レール部122は、図３及び図４に示すように、直方体状に形成されている。また、レール部122は、図３及び図４に示すように、メダル通路106の底面の一部を構成するためのものであって、メダルが周面を接してその上を転がるものである。また、レール部122における、メダルが周面を接して転がる面が、メダル転動面である。
また、レール部122は、通常、図４（Ａ）に示すように、ベース101の表面からカバー102付近まで突出した位置にある。これにより、レール部122は、メダルキャンセル部120におけるメダル通路106の底面の一部を構成している。すなわち、この位置が、底面構成位置である。
【００２９】
また、本実施の形態では、メダルセレクター100は、直径が２５ミリメートルの規格のメダルを使用可能に形成されている。また、レール部122は、メダル転動面から上側ガイド124のまでの距離が、直径が２５ミリメートルの規格に適合したメダルの外径よりも、わずかに大きくなるように形成されている。
（レール変位手段130）
レール変位手段130は、レール部122を、メダル通路106の底面を構成する位置である底面構成位置と、メダル通路106の底面を構成しなくなる位置である退避位置との間で変位させるものである。
【００３０】
また、レール変位手段130は、図４に示すように、ベース101の裏面におけるレール部用孔125に対応する位置に取り付けられている。また、レール変位手段130には、可動軸を前後方向に移動することができるソレノイド108を用いている。また、本実施の形態では、レール変位手段130であるソレノイド108の可動軸の先端部分にレール部122が取り付けられている。これにより、レール変位手段130は、メダル通路106の底面を構成する位置である底面構成位置と、メダル通路106の底面を構成しなくなる位置である退避位置との間でレール部122を移動可能に形成されている。具体的には、図４（Ａ）に示すように、レール変位手段130としてのソレノイド108は、可動軸を本体から押し出す方向へ移動させると、レール部122がメダル通路106の底面の一部を構成する位置である底面構成位置に至るようにしてある。また、レール変位手段130としてのソレノイド108は、可動軸を本体内に引っ込める方向へ移動すると、図４（Ｂ）に示すように、レール部122が、ベース101のレール部用孔125内に納まり、メダル通路106の底面の一部を構成しなくなる位置である退避位置に至るようにしてある。また、レール部122が、レール部用孔125内に納まった場合、レール部122の先端が、ベース101の表面と面一になるか、又はレール部122の先端が、ベース101の表面よりも凹むように形成されている。これにより、レール部122が、メダル通路106の底面を構成しなくなる位置である退避位置に移動すると、メダル通路106の底面が無い状態になり、図３（Ｂ）及び図４（Ｂ）に示すように、メダルがメダル通路106から排除される。
【００３１】
また、通常遊技中には、レール部122は、底面構成位置にあるようになっている。そして、レール変位手段130は、ブロッカ90作動時（ブロッカ90が、メダル通路106の側面から突出棒を突出させ、メダルの通過を阻止するように作動する時）に、レール部122を底面構成位置から退避位置へ変位させる。そして、通常遊技に戻ると、レール変位手段130は、再度、レール部122を退避位置から底面構成位置へ変位させる。
また、レール変位手段130がレール部122を底面構成位置と退避位置との間で変位させるとき、レール部122のメダル転動面が、レール部用孔125の上面に設けられた清掃部80よって擦られるように形成されている。
【００３２】
また、図示はしないが、レール変位手段130は、レール部122を、ネジにより取り付けている。また、レール変位手段130は、ネジを用いて取り付けていることにより、レール部122の付け替えが簡単にできるように形成されている。また、レール変位手段130は、ネジの取り付け、取り外しにより、他の規格のメダルに適合したレール部122を取り付けることも可能に形成されている。
（清掃部80）
清掃部80は、レール部122のメダル転動面を清掃するためのものである。
また、清掃部80は、図４に示すように、退避位置の上方に相当する位置に設けられている。具体的には、清掃部80は、ベース101のレール部用孔125の上面に設けられている。
【００３３】
また、清掃部80は、図４に示すように、ベース部材81と、清掃部材82とを備えている。
ベース部材81は、図４に示すように、断面がＬ字形に曲げられた板材を用いている。また、べース部材81は、その上面がレール部用孔125の上面に接するように取り付けられている。また、ベース部材81の下面には、清掃部材82が取り付けられている。
清掃部材82は、レール部122の上面の異物や油等の汚れを除去するためのものである。また、清掃部材82は、図４に示すように、上方から下方へ向けて延びるように細い樹脂で形成された毛を、多数束ねたハケ状に形成されている。
また、清掃部80は、レール変位手段130がレール部122を底面構成位置と退避位置との間で変位させるとき、レール部122のメダル転動面が、清掃部材82の先端部によって擦られるように形成されている。また、清掃部材82は、レール変位手段130がレール部122を底面構成位置と退避位置との間で変位させるとき、レール部122のメダル転動面全体が、清掃部材82の先端部に擦られるような形状及び大きさに形成されている。
【００３４】
また、レール変位手段130が、ブロッカ90作動時等、レール部122を底面構成位置と退避位置との間を変位させるとき、レール部122のメダル転動面が、清掃部材82によって擦られることにより、レール部122の上面に存在する異物や油等の汚れを、清掃部材82が除去できるように形成されている。
また、清掃部80は、ベース101に複数のネジ85を用いて交換自在に取り付けられている。
なお、清掃部80がメダル転動面を清掃する効率を向上させるために、清掃部80を振動させるような振動装置を設けるようにしても良い。
【００３５】
（メダルセンサー105）
メダルセンサー105は、メダル通路106を通過するメダルを検知するためのものである。また、メダルセンサー105は、メダルの検知信号を制御装置に出力し、制御装置は、投入されたメダルの数をカウントする。
また、メダルセンサー105は、メダル誘導口107付近に設けられている。また、本実施の形態では、メダルキャンセル部120が、メダルの直径よりも十分に長く形成されている。したがって、図３（Ｂ）に示すように、メダルセンサー105をメダル誘導口107付近に設けることにより、メダルセンサー105は、メダルキャンセル部120から排除されるメダルを検出しない。
【００３６】
また、メダルセンサー105は、メダルの移動によって生じる光の遮断を検知することによりメダルの投入を検知する光学式センサーを用いている。また、メダルセンサー105としての光学式センサーは、メダルの進行方向に沿って並列に設けられた２個のフォトセンサーから構成されている。また、各フォトセンサーは、光を発する発光部と、発光部から発せされた光を受光する受光部を備えている。また、各フォトセンサーは、メダル通路106の一方側の位置に発光部を備え、メダル通路106を挟んだ発光部の対向する他方側の位置に受光部を備えている。また、メダルセンサー105を構成する各フォトセンサーは、発光部が発する光が、メダルにより遮光されることにより、メダルがメダル通路106を通過したことを検出する。また、メダルセンサー105は、メダルの通過を検出するとメダル検出信号を制御装置に送信する。制御装置は、メダルセンサー105からのメダル検知信号により、メダルセレクター100を通過しホッパーユニット5に至ったメダルの枚数をカウントする。
【００３７】
また、メダルセンサー105は、２個のフォトセンサーをメダルの進行方向に沿って並列に設けている。これにより、制御装置は、メダルがメダル通路106を流下するときの、メダル通路106の上流に設けたフォトセンサーと下流の設けたフォトセンサーとを遮る時間のズレにより、メダルが正常か否か判定や、イタズラ等の異常の判定することができる。
（作用・効果）
本実施の形態では、メダルキャンセル部120から、メダルを排除させるとき、メダル通路106の底面の一部を構成するレール部122を、底面構成位置から退避位置へ変位させるようにした。
【００３８】
これにより、メダルの詰まりを発生させることなく、必要なときに、メダルをメダルセレクター100から排除させることができる。
また、本実施の形態では、退避位置であるレール部用孔125の上面には、レール部122のメダル転動面を清掃する清掃部80を設けた。
これにより、コイン投入の度重なる反復動作により、メダルが通るメダル通路106が汚れてしまっても、メダル通路106内のメダルの流れが鈍くなったり、メダルの詰まりの発生することを減少させることができる。
【図面の簡単な説明】
【００３９】
【図１】本発明の実施の形態におけるスロットマシンの全体斜視図である。
【図２】本発明の実施の形態におけるメダルセレクターの外観斜視図である。
【図３】本発明の実施の形態におけるメダルセレクター内のメダルの流れを示す図である。
【図４】本発明の実施の形態におけるメダルセレクターからのメダルの排除を示す断面図である。
【符号の説明】
【００４０】
S    スロットマシン
1    筐体                        2    リールユニット
4    前扉                        5    ホッパーユニット
40   操作部                      41   ベットスイッチ
42   スタートスイッチ            43   ストップスイッチ
44   精算スイッチ                45   メダル排出口
46   メダル受け皿                47   図柄表示窓
48   クレジット表示部            50   メダルキャンセルボタン
70   メダル投入口                72   バネ
80   清掃部                      81   ベース部材
82   清掃部材                    85   ネジ
90   ブロッカ
100  メダルセレクター
101  ベース                      102  カバー
103  メダル排除口                104  メダル受け口
105  メダルセンサー              106  メダル通路
107  メダル誘導口                108  ソレノイド
110  メダル通路部
120  メダルキャンセル部          122  レール部
124  上側ガイド
124a ガイド上部                  124b ガイド側部
125  レール部用孔                130  レール変位手段
【図１】
2007252607.tif 000003
【図２】
2007252607.tif 000004
【図３】
2007252607.tif 000005
【図４】
2007252607.tif 000006